(57)【要約】【課題】透明度の低いもち米においても胴割れを検出することができる、もち米の胴割判別方法、胴割判別装置、および、プログラムを提供することを課題とする。【解決手段】本発明は、もち米粒の横断面に平行な方向を除く方向から、もち米粒内部に光を照射し、照射された光がもち米粒内部を通って射出される光を観測し、観測した光の、５００ｎｍ〜１１００ｎｍの範囲内の波長を少なくとも含む光における、もち米粒の長軸方向の強度分布に基づいて、もち米の胴割れを判別する。【選択図】図１
2014052355.tif 000002
【特許請求の範囲】
【請求項１】
もち米の胴割判別方法であって、
もち米粒の横断面に平行な方向を除く方向から、もち米粒内部に光を照射する照射ステップと、
上記照射ステップにて照射された光が上記もち米粒内部を通って射出される光を観測する観測ステップと、
上記観測ステップにて観測した光の、５００ｎｍ〜１１００ｎｍの範囲内の波長を少なくとも含む光における、上記もち米粒の長軸方向の強度分布に基づいて、もち米の胴割れを判別する判別ステップと、
を含むことを特徴とするもち米の胴割判別方法。
【請求項２】
請求項１に記載のもち米の胴割判別方法において、
上記照射ステップは、
上記もち米粒の横断面に平行な方向を除く方向として、上記もち米粒の長軸方向から、光を照射すること、
を特徴とするもち米の胴割判別方法。
【請求項３】
請求項１または２に記載のもち米の胴割判別方法において、
上記照射ステップは、
５００ｎｍ〜１１００ｎｍの範囲内の波長を少なくとも含む光を照射すること、
を特徴とするもち米の胴割判別方法。
【請求項４】
請求項３に記載のもち米の胴割判別方法において、
上記照射ステップは、照射装置を用いて、もち米粒内部に光を照射するものであって、
上記照射装置は、
もち米粒の長軸が平面上に平行になるように、もち米粒を支持するサンプル支持体と、
上記平面に対して略垂直に光を射出するＬＥＤ光源と、
上記ＬＥＤ光源から射出された光が上記平面上で平行な光となるように光軸を曲げる反射体と、
を備えたことを特徴とするもち米の胴割判別方法。
【請求項５】
請求項１または２に記載のもち米の胴割判別方法において、
上記観測ステップは、
５００ｎｍ〜１１００ｎｍの範囲内の波長を少なくとも含む光を観測すること、
を特徴とするもち米の胴割判別方法。
【請求項６】
検出部と制御部を少なくとも備えた、もち米の胴割判別装置において実行される、もち米の胴割判別方法であって、
上記制御部により実行される、
もち米粒の横断面に平行な方向を除く方向から上記もち米粒内部に照射された光が当該もち米粒内部を通って射出される光を、上記検出部を介して観測する観測ステップと、
上記観測ステップにて観測された光の、５００ｎｍ〜１１００ｎｍの範囲内の波長を少なくとも含む光における、上記もち米粒の長軸方向の強度分布に基づいて、もち米の胴割れを判別する判別ステップと、
を含むことを特徴とするもち米の胴割判別方法。
【請求項７】
検出部と制御部を少なくとも備えた、もち米の胴割判別装置において、
上記制御部により実行される、
もち米粒の横断面に平行な方向を除く方向から上記もち米粒内部に照射された光が上記もち米粒内部を通って射出される光を、上記検出部を介して観測する観測手段と、
上記観測手段により観測された光の、５００ｎｍ〜１１００ｎｍの範囲内の波長を少なくとも含む光における、上記もち米粒の長軸方向の強度分布に基づいて、もち米の胴割れを判別する判別手段と、
を備えたことを特徴とするもち米の胴割判別装置。
【請求項８】
検出部と制御部を少なくとも備えたコンピュータに実行させるためのプログラムであって、
上記制御部により実行される、
もち米粒の横断面に平行な方向を除く方向から上記もち米粒内部に照射された光が上記もち米粒内部を通って射出される光を、上記検出部を介して観測する観測ステップと、
上記観測ステップにて観測された光の、５００ｎｍ〜１１００ｎｍの範囲内の波長を少なくとも含む光における、上記もち米粒の長軸方向の強度分布に基づいて、もち米の胴割れを判別する判別ステップと、
を実行させるためのプログラム。
【発明の詳細な説明】
【技術分野】
【０００１】
本発明は、もち米の胴割判別方法、胴割判別装置、および、プログラムに関する。
【背景技術】
【０００２】
従来、米の品質管理のため、米粒の胴割れを判別する技術が開発されている。
【０００３】
例えば、特許文献１では、米粒に対して下方から斜めに光を投光して米粒内に見られる暗影から胴割れを観察できるように構成した米粒透視器が開示されている。
【０００４】
また、特許文献２では、下方から米粒に光を照射することによっては透過量が極めて少ない粉状質粒の検出が難しいという従来方法の問題点を改善するために、上方からも光を照射することで、うるち米に含まれる不良な粉状質粒を検出することが開示されている。
【先行技術文献】
【特許文献】
【０００５】
【特許文献１】特開平８−７５６５７号公報
【特許文献２】特開平１０−１６０６７７号公報
【発明の概要】
【発明が解決しようとする課題】
【０００６】
しかしながら、従来の技術においては、透明度の高いうるち米における胴割れの検出を行うことができるものの、透明度の低い白濁したもち米において胴割れを検出することはできないという問題点を有していた。
【０００７】
例えば、特許文献１の米粒透視器では、下方から斜めに光を投光して上方から観察するため、粒内で光の拡散が強いもち米では、観察者に見えるような胴割れの陰影を生じさせることが難しいという問題点を有していた。
【０００８】
また、特許文献２の方法では、透明度の高いうるち米において胴割れを検出することができ、かつ、透明度の高い正常なうるち米に対して透明度の低い粉状質粒の検出をも行うことができるものの、透明度の低い米粒において胴割れを検出することはできないという問題点を有していた。
【０００９】
本発明は、上記問題点に鑑みてなされたもので、透明度の低いもち米においても胴割れを検出することができる、もち米の胴割判別方法、胴割判別装置、および、プログラムを提供することを目的とする。
【課題を解決するための手段】
【００１０】
このような目的を達成するため、本発明のもち米の胴割判別方法は、もち米の胴割判別方法であって、もち米粒の横断面に平行な方向を除く方向から、もち米粒内部に光を照射する照射ステップと、上記照射ステップにて照射された光が上記もち米粒内部を通って射出される光を観測する観測ステップと、上記観測ステップにて観測した光の、５００ｎｍ〜１１００ｎｍの範囲内の波長を少なくとも含む光における、上記もち米粒の長軸方向の強度分布に基づいて、もち米の胴割れを判別する判別ステップと、を含むことを特徴とする。
【００１１】
また、本発明のもち米の胴割判別方法は、上記記載のもち米の胴割判別方法において、上記照射ステップは、上記もち米粒の横断面に平行な方向を除く方向として、上記もち米粒の長軸方向から、光を照射すること、を特徴とする。
【００１２】
また、本発明のもち米の胴割判別方法は、上記記載のもち米の胴割判別方法において、上記照射ステップは、５００ｎｍ〜１１００ｎｍの範囲内の波長を少なくとも含む光を照射すること、を特徴とする。
【００１３】
また、本発明のもち米の胴割判別方法は、上記記載のもち米の胴割判別方法において、上記照射ステップは、照射装置を用いて、もち米粒内部に光を照射するものであって、上記照射装置は、もち米粒の長軸が平面上に平行になるように、もち米粒を支持するサンプル支持体と、上記平面に対して略垂直に光を射出するＬＥＤ光源と、上記ＬＥＤ光源から射出された光が上記平面上で平行な光となるように光軸を曲げる反射体と、を備えたことを特徴とする。
【００１４】
また、本発明のもち米の胴割判別方法は、上記記載のもち米の胴割判別方法において、上記観測ステップは、５００ｎｍ〜１１００ｎｍの範囲内の波長を少なくとも含む光を観測すること、を特徴とする。
【００１５】
また、本発明のもち米の胴割判別方法は、検出部と制御部を少なくとも備えた、もち米の胴割判別装置において実行される、もち米の胴割判別方法であって、上記制御部により実行される、もち米粒の横断面に平行な方向を除く方向から上記もち米粒内部に照射された光が当該もち米粒内部を通って射出される光を、上記検出部を介して観測する観測ステップと、上記観測ステップにて観測された光の、５００ｎｍ〜１１００ｎｍの範囲内の波長を少なくとも含む光における、上記もち米粒の長軸方向の強度分布に基づいて、もち米の胴割れを判別する判別ステップと、を含むことを特徴とする。
【００１６】
また、本発明のもち米の胴割判別装置は、検出部と制御部を少なくとも備えた、もち米の胴割判別装置において、上記制御部により実行される、もち米粒の横断面に平行な方向を除く方向から上記もち米粒内部に照射された光が上記もち米粒内部を通って射出される光を、上記検出部を介して観測する観測手段と、上記観測手段により観測された光の、５００ｎｍ〜１１００ｎｍの範囲内の波長を少なくとも含む光における、上記もち米粒の長軸方向の強度分布に基づいて、もち米の胴割れを判別する判別手段と、を備えたことを特徴とする。
【００１７】
また、本発明のプログラムは、検出部と制御部を少なくとも備えたコンピュータに実行させるためのプログラムであって、上記制御部により実行される、もち米粒の横断面に平行な方向を除く方向から上記もち米粒内部に照射された光が上記もち米粒内部を通って射出される光を、上記検出部を介して観測する観測ステップと、上記観測ステップにて観測された光の、５００ｎｍ〜１１００ｎｍの範囲内の波長を少なくとも含む光における、上記もち米粒の長軸方向の強度分布に基づいて、もち米の胴割れを判別する判別ステップと、を実行させることを特徴とする。
【発明の効果】
【００１８】
この発明によれば、もち米粒の横断面に平行な方向を除く方向から、もち米粒内部に光を照射し、照射された光がもち米粒内部を通って射出される光を観測し、観測した光の、５００ｎｍ〜１１００ｎｍの範囲内の波長を少なくとも含む光における、上記もち米粒の長軸方向の強度分布に基づいて、もち米の胴割れを判別することを特徴とする。これにより、本発明は、透明度の低いもち米においても胴割れを検出することができるという効果を奏する。
【００１９】
また、本発明によれば、上記において、もち米粒の横断面に平行な方向を除く方向として、もち米粒の長軸方向から、光を照射する。これにより、本発明は、照射された光がもち米粒内部を通って、亀裂により散乱した光を、観察することにより、亀裂の判別を容易に行うことができるという効果を奏する。
【００２０】
また、本発明によれば、上記において、５００ｎｍ〜１１００ｎｍの範囲内の波長を少なくとも含む光を照射する。これにより、本発明は、照射する光の波長を所定の範囲に限定することにより、もち米粒内部を透過し易い光のみを用いて胴割れの判別を行うことができるという効果を奏する。
【００２１】
また、本発明によれば、上記において、照射装置を用いて、もち米粒内部に光を照射するものであって、上記照射装置は、もち米粒の長軸が平面上に平行になるように、もち米粒を支持するサンプル支持体と、上記平面に対して略垂直に光を射出するＬＥＤ光源と、上記ＬＥＤ光源から射出された光が上記平面上で平行な光となるように光軸を曲げる反射体と、を備えた照射装置を用いる。これにより、本発明は、省スペースで安価な照射装置を提供することができるという効果を奏する。
【００２２】
また、本発明によれば、上記において、５００ｎｍ〜１１００ｎｍの範囲内の波長を少なくとも含む光を観測する。これにより、本発明は、照射する光の波長を所定の範囲に限定することにより、もち米粒内部を透過し易い光のみを用いて胴割れの判別を行うことができるという効果を奏する。
【図面の簡単な説明】
【００２３】
【図１】図１は、もち米に対する照射角度と観察位置の関係を模式的に示した図である。
【図２】図２は、本実施形態が適用される胴割判別装置１００の構成の一例を示すブロック図である。
【図３】図３は、もち米に対する照射角度と検出部１１２の設置位置の関係を模式的に示した図である。
【図４】図４は、本実施形態における胴割判別装置１００の処理の一例を示すフローチャートである。
【図５】図５は、観測部１０２ａにより取得された元画像データから亀裂部分のエッジを検出する例を模式的に示す図である。
【図６】図６は、もち米粒の横断面に対して垂直方向（すなわち、長軸方向）に光を照射した場合のもち米粒の画像の一例を示す図である。
【図７】図７は、２個の正常粒と２個の胴割粒に対して、４００ｎｍ〜８００ｎｍの範囲で、さまざまな波長の光を照射した結果を示した図である。
【図８】図８は、もち米粒の横断面に対して水平方向に光を照射した場合のもち米粒の画像の一例を示す図である。
【図９】図９は、２個の正常粒と２個の胴割粒に対して、５００ｎｍ〜８００ｎｍの範囲で、さまざまな波長の光を照射した結果を示した図である。
【図１０】図１０は、もち米粒の横断面に対して斜め方向から近赤外光を照射した場合のもち米粒の画像の一例を示す図である。
【図１１】図１１は、２個の正常粒と２個の胴割粒に対して白色光を照射し、８００ｎｍ〜１１００ｎｍの範囲で、さまざまな波長の光を観測した結果を示した図である。
【図１２】図１２は、もち米用胴割透視器の外観を示す図である。
【図１３】図１３は、もち米用胴割透視器の断面図である。
【図１４】図１４は、ＬＥＤ光源からサンプルに光を導くための構成を示す図である。
【図１５】図１５は、サンプル支持体の外観図である。
【図１６】図１６は、ＬＥＤとサンプル支持体とサンプルならびに反射体の位置関係を示す図である。
【図１７】図１７は、用いたＬＥＤの波長特性を示すグラフである。
【発明を実施するための形態】
【００２４】
以下に、本発明にかかる、もち米の胴割判別方法、胴割判別装置、および、プログラムの実施形態を図面に基づいて詳細に説明する。なお、この実施形態によりこの発明が限定されるものではない。
【００２５】
［本実施形態の概要］
以下、本発明にかかる実施形態の概要について説明し、その後、本実施形態の構成および処理等について詳細に説明する。
【００２６】
米粒において胚乳部に亀裂を生じた胴割粒は、とう精中に砕けやすく、精米の品質と歩留まりに及ぼす影響が大きい。とう精中に砕けない場合であっても、炊飯時に吸水による膨張で砕ける場合もあるので胴割米は潜在的な破砕米であり、食味を落とす要因になる。すなわち、炊飯時には亀裂からでんぷんが溶出するため味が落ちる。したがって、胴割れの有無は、米粒の評価における重要な要素であり、もち米の生産現場において、玄米の品質評価のひとつとして、胴割米の混入率を知りたいというニーズがある。
【００２７】
ここで、もち米について説明する。食用米は大きくインディカ種とジャポニカ種に分かれ、日本で生産される米はほとんどがジャポニカ種である。そして、米に含まれるでんぷんの成分（アミロペクチンの含有量）により、「うるち米」と「もち米」に分かれる。前者のアミロペクチン含有量は概ね８０％（２０％はアミロース）であるのに対して、後者はほぼ１００％である。精米による区別では、収穫した米から籾殻だけを除いたものが玄米、玄米から糠（糖層と胚芽）を除いたものが精白米、胚芽保有率８０％以上のものが胚芽精米とされる。基本的にうるち米は半透明であるのに対し、もち米は白く不透明である。これは乾燥させる段階でアミロペクチンの隙間に空気が入るためで、光の散乱によるものである。もち米が半透明な状態から不透明な乳白色にかわる現象を、一般に「はぜる」と呼ぶ。はぜる現象はもち米特有のもので、しかも、もち米の品質を決定する一つの要因となっている。このため、農家では、はぜさせることに重点を置いて乾燥するため、過乾燥となって胴割れや砕粒が発生し品質を悪化する問題がある。
【００２８】
従来、胴割粒を観察するための機器は、うるち米の玄精米を対象としており、試料の下部より光を照射し、試料の亀裂により生じる明暗を目視する方式であった（特許文献１等参照）。しかしながら、もち米の玄米は収穫直後には透明感があるが、乾燥させるともち米特有の白濁した状態になり（精米時も同様）、従来の方式では、光が透過せず胴割れの判別ができなかった。
【００２９】
本願発明者らは、鋭意検討により、５００ｎｍ〜１１００ｎｍの範囲の波長の光が、もち米粒内部を透過し易いこと、および、もち米粒の横断面に対して平行ではなく垂直に近い長軸方向などから、もち米粒内部に光を照射することで、透明度の低いもち米においても亀裂による陰影や明暗によって胴割れを判別し易くなることを見出した。
【００３０】
すなわち、まず、本実施形態は、もち米粒の横断面に平行な方向を除く方向から、もち米粒内部に光を照射する。例えば、もち米粒の長軸方向から、５００ｎｍ〜１１００ｎｍの範囲内の波長を少なくとも含む光を照射してもよい。また、光の照射を効率よく行うために、もち米粒の長軸が平面上に平行になるように、もち米粒を支持するサンプル支持体と、平面に対して略垂直に光を射出するＬＥＤ光源と、ＬＥＤ光源から射出された光が平面上で平行な光となるように光軸を曲げる反射体（ミラーやプリズム等）とを備えた照射装置を用いてもよい。
【００３１】
そして、本実施形態は、照射された光がもち米粒内部を通って射出される光を観測する。なお、光学フィルタ等を用いて、５００ｎｍ〜１１００ｎｍの範囲内の波長を少なくとも含む光を観測してもよい。ここで、図１は、もち米に対する照射角度と観察位置の関係を模式的に示した図である。
【００３２】
図１に示すように、この例では、もち米粒において亀裂が生じ易い横断面に対して垂直な方向すなわち長軸方向から照射した光が、もち米粒内で拡散反射した光を上方から観測する。なお、照射角度は、長軸方向に限られず、横断面に対して斜めに照射してもよい。
【００３３】
つづいて、本実施形態は、観測した光の、５００ｎｍ〜１１００ｎｍの範囲内の波長を少なくとも含む光における、もち米粒の長軸方向の強度分布に基づいて、もち米の胴割れを判別する。なお、５００ｎｍ〜１１００ｎｍの範囲内の波長を少なくとも含む光における光の強度を取得するために、上述のように、前分光により、照射する光の波長を制限してもよく、あるいは、後分光により、検出する光の波長を制限してもよい。これに限られず、判別する際に、画像データの色成分のうち５００ｎｍ〜７５０ｎｍ（緑〜黄色〜赤）の所定の波長範囲（色成分）に限定して、亀裂の陰影を判別してもよい。
【００３４】
以上が、本実施形態の概要である。うるち米を対象とした従来の方式を適用した場合、もち米粒内部での光の拡散が強いために、下方にある光源からの光が透過しにくいため、もち米粒内部で拡散した光と亀裂により生じた陰影とを区別しにくかったが、本実施形態によれば、もち米粒内部で拡散しにくい波長の光と適切な光照射角度を組み合せることにより、もち米における胴割れを判別することができる。
【００３５】
これにて、本実施形態の概要の説明を終える。なお、以下に本実施形態をコンピュータ等の制御部を備えた装置によって実施する例について説明するが、本発明は、これに限られず、本実施形態の方法を人によって肉眼での観察や判別等により実施してもよいものである。また、上述の実施形態のうち、一部を人により実施し、一部を装置において実施してもよい。例えば、７５０ｎｍ〜１１００ｎｍの近赤外線は、肉眼では見ることができないので、検出装置によって近赤外線を検出して、検出した近赤外線の強度を明暗で表した画像を、モニタ等の表示手段に出力して、人により目視で胴割れの有無を判別してもよい。
【００３６】
［胴割判別装置の構成］
次に、本発明にかかる本実施形態の胴割判別装置の構成について図２を参照して説明する。図２は、本実施形態が適用される胴割判別装置１００の構成の一例を示すブロック図であり、該構成のうち本発明に関係する部分のみを概念的に示している。
【００３７】
図２において胴割判別装置１００は、概略的に、制御部１０２と通信制御インターフェース部１０４と入出力制御インターフェース部１０８と記憶部１０６を備えて構成される。ここで、制御部１０２は、胴割判別装置１００の全体を統括的に制御するＣＰＵ等である。また、入出力制御インターフェース部１０８は、照射部１１０や検出部１１２や出力部１１４等に接続されるインターフェースである。また、記憶部１０６は、各種のデータベースやテーブルなどを格納する装置である。これら胴割判別装置１００の各部は任意の通信路を介して通信可能に接続されている。
【００３８】
記憶部１０６に格納される各種のデータベースやファイル（検出強度ファイル１０６ａ、および、判別結果ファイル１０６ｂ等）は、固定ディスク装置等のストレージ手段である。例えば、記憶部１０６は、各種処理に用いる各種のプログラムやテーブルやファイルやデータベース等を格納する。
【００３９】
これら記憶部１０６の各構成要素のうち、検出強度ファイル１０６ａは、もち米粒の横断面に平行な方向を除く方向からもち米粒内部に照射された光が当該もち米粒内部を通って射出された光の強度を検出した検出強度データを記憶する検出強度記憶手段である。ここで、検出強度データは、光照射されたもち米粒を、エリアセンサ等により撮像した画像データであってもよい。例えば、画像データは、可視光波長に応じた色調と、その波長の光の強さを表す階調値とを、画素毎に格納したデータであってもよい。これに限られず、検出強度データは、光照射されたもち米粒を、ラインセンサの検出領域に対して相対的に移動させることにより取得された二次元画像データであってもよい。このように、検出強度データは、一例として、検出手段の性質に従って時系列の時間順や走査された順等の検出順に並べられた、光強度の検出データであってもよい。なお、検出強度ファイル１０６ａは、検出部１１２により取得された検出強度データを記憶してもよく、ネットワーク３００を介して外部機器２００より受信した検出強度データを記憶してもよい。
【００４０】
また、判別結果ファイル１０６ｂは、後述する判別部１０２ｂにより判別された結果を記憶する判別結果記憶手段である。例えば、判別結果ファイル１０６ｂに記憶される判別結果を示すデータは、もち米粒ごとに、正常粒か胴割粒かを判定した結果を格納した情報であってもよい。なお、もち米の一粒ごとの識別は、走査された順番や検出された時間によって識別されてもよく、リアルタイムに検出して判別結果を出力する場合は、当該粒を特定できるので時間情報を用いなくともよい。
【００４１】
また、図２において、入出力制御インターフェース部１０８は、照射部１１０や検出部１１２や出力部１１４等の制御を行う。
【００４２】
このうち、検出部１１２は、光の強度を検出する光強度検出手段である。一例として、検出部１１２は、もち米粒の画像を撮像する、モノクロＣＣＤカメラやエリアセンサやデジタルカメラ等の撮像手段であってもよい。なお、検出部１１２は、可視光に限られず、赤外線等の光を検出してもよいものである。一例として、検出部１１２は、５００ｎｍ〜７５０ｎｍの可視光および７５０ｎｍ〜１１００ｎｍの近赤外線を検出可能であってもよい。検出部１１２としてモノクロＣＣＤカメラを用いる場合、検出する光の波長範囲を制限するために、光学フィルタや分光器等を用いてもよく、照射部１１０の光源から射出される波長範囲を制限してもよい。また、検出部１１２としてデジタルカメラ等のカラー画像を取得することができる撮像手段を用いる場合、検出波長や光源出力波長を制限することなく、検出可能な全ての波長の光強度を画素毎に格納した画像データを取得しておき、後述する判別部１０２ｂにより判別を行う際に、所定の波長範囲（緑〜黄色〜赤のうちの任意の色成分等）に制限してもよい。
【００４３】
また、照射部１１０は、もち米粒の横断面に平行な方向を除く方向から、もち米粒内部に光を照射する照射手段である。例えば、照射部１１０は、もち米粒の横断面に平行な方向を除く方向として、もち米粒の長軸方向から（すなわち、もち米の横断面に垂直な方向から）、光を照射してもよい。ここで、照射部１１０は、５００ｎｍ〜１１００ｎｍの範囲のうちいずれかの波長を含む光を照射してもよい。例えば、照射部１１０は、中心波長が５２５ｎｍで半値幅が２５ｎｍである発光ダイオード（緑色ＬＥＤ）を光源に用いてもよい。また、照射部１１０は、中心波長が６３５ｎｍで半値幅が１５ｎｍである発光ダイオード（赤色ＬＥＤ）を光源に用いてもよい。これに限られず、照射部１１０は、白色光源に対して、所定の波長範囲となるように分光光源や光学フィルタや分光器等を用いてもよい。なお、検出部１１２による検出の際に波長範囲を制限、もしくは、判別部１０２ｂによる判別の際に波長範囲を選択できるのであれば、照射部１１０において、波長範囲を制限する必要はない。また、本実施形態においては、入出力制御インターフェース部１０８により照射部１１０を制御可能に構成したが、これに限られず、照射部１１０を胴割判別装置１００とは別構成としてもよい。ここで、図３は、もち米に対する照射角度と検出部１１２の設置位置の関係を模式的に示した図である。
【００４４】
図３に示すように、この例では、もち米粒において亀裂が生じ易い横断面に対して垂直な方向すなわち長軸方向から照射した光が、もち米粒内で拡散反射した光を上方から観測する。なお、照射角度は、長軸方向に限られず、横断面に対して斜めに照射してもよい。
【００４５】
また、照射部１１０および検出部１１２以外に、図示しない連続観測手段を設けてもよい。例えば、特開平８−７５６５７号公報に記載されるように、外周に沿って米粒設置用のくぼみを設けた透明な円盤をモータによって回転させることにより、照射部１１０による照射領域および検出部１１２による検出領域が、相対的に移動するように構成してもよい。これにより、複数のもち米粒を連続的に観測することが可能になる。このほか、もち米粒の長軸が平面上に平行になるように、もち米粒を支持するサンプル支持体と、照射部１１０として、平面に対して略垂直に光を射出するＬＥＤ光源と、ＬＥＤ光源から射出された光が平面上で平行な光となるように光軸を曲げる反射体と、を備えた照射装置を用いてもよい。
【００４６】
また、出力部１１４としては、モニタ（家庭用テレビを含む）の他、スピーカを用いることができる（なお、以下においては出力部１１４をモニタとして記載する場合がある）。これに限られず、出力部１１４は、粒子を噴風除去することができる選別手段であってもよい。
【００４７】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、観測部１０２ａ、判別部１０２ｂ、および、判別結果出力部１０２ｃを備える。
【００４８】
このうち、観測部１０２ａは、もち米粒の横断面に平行な方向を除く方向からもち米粒内部に照射された光がもち米粒内部を通って射出される光を、検出部１１２を介して観測する観測手段である。例えば、観測部１０２ａは、照射部１１０および検出部１１２を制御して、検出部１１２により検出された光の検出強度データを取得してもよい。ここで、観測部１０２ａは、もち米の品種や、玄米と精米の違いに応じて、照射部１１０から照射される光の光量を可変に制御してもよい。また、観測部１０２ａは、所望の波長範囲の検出強度データを得るために、照射部１１０および／または検出部１１２に設置された、フィルタの切替や、分光器の制御（プリズム角度の変更等）を行ってもよい。なお、本実施形態において、観測部１０２ａは、取得した検出強度データを検出強度ファイル１０６ａに格納する。ここで、観測部１０２ａは、ネットワーク３００を介して外部機器２００から検出強度データを受信してもよい。
【００４９】
また、判別部１０２ｂは、観測部１０２ａにより観測された光の、５００ｎｍ〜１１００ｎｍの範囲内の波長を少なくとも含む光における、もち米粒の長軸方向の強度分布（強度差等）に基づいて、もち米の胴割れを判別する判別手段である。例えば、判別部１０２ｂは、検出強度ファイル１０６ａに格納された画像データ等の検出強度データに基づいて、もち米粒の長軸方向の強度分布（強度差等）から胴割れを判別してもよい。なお、判別部１０２ｂは、検出強度データが、予め５００ｎｍ〜１１００ｎｍの範囲のうちの波長に限定されていない場合は、判別を行う前の前処理として、所定の波長範囲となるように画像処理等を行う。例えば、判別部１０２ｂは、画素毎に色調と階調値が格納されたピクセルデータにおいて、緑〜黄色〜赤の色成分の階調値を、所定の波長範囲の光強度として抽出して、胴割れの判別に用いてもよい。
【００５０】
ここで、判別部１０２ｂは、もち米粒の長軸方向の強度分布に基づいて、もち米の胴割れを判別するために、公知のエッジ検出手法を用いてもよい。例えば、判別部１０２ｂは、Ｓｏｂｅｌフィルタ法を用いて、長軸方向に対する垂直エッジを抽出して、胴割れの亀裂によるエッジを検出してもよい。なお、判別部１０２ｂは、胴割れ有無の判別結果を判別結果ファイル１０６ｂに、検出強度データの座標情報や時間情報等に対応付けて格納してもよい。
【００５１】
また、判別結果出力部１０２ｃは、判別部１０２により、もち米粒毎に判別された判別結果を出力する判別結果出力手段である。例えば、判別結果出力部１０２ｃは、判別結果をモニタ等の出力部１１４に出力してもよく、選別手段としての出力部１１４を制御することにより、胴割粒と判別された粒子を噴風除去してもよい（特許第３６４２１７２号公報参照）。例えば、胴割判別装置１００は、リアルタイムにもち米粒の光を、検出部１１２を介して検出しながら、不良な胴割粒と判別した粒を、選別手段としての出力部１１４を介して除去してもよい。
【００５２】
以上が、本胴割判別装置１００の構成の一例である。ここで、胴割判別装置１００は、ルータ等の通信装置および専用線等の有線または無線の通信回線を介して、ネットワーク３００に通信可能に接続されてもよい。この場合、通信制御インターフェース部１０４は、通信回線等に接続されるルータ等の通信装置（図示せず）に接続されるインターフェースであり、胴割判別装置１００とネットワーク３００（またはルータ等の通信装置）との間における通信制御を行う。すなわち、通信制御インターフェース部１０４は、他の端末と通信回線を介してデータを通信する機能を有する。図２において、ネットワーク３００は、胴割判別装置１００と外部機器２００とを相互に接続する機能を有し、例えば、インターネット等である。
【００５３】
また、胴割判別装置１００は、検出強度等の測定データやパラメータ等に関する外部データベースや、情報処理装置を胴割判別装置として機能させるための外部プログラム等を提供する外部機器２００に、ネットワーク３００を介して通信可能に接続されてもよい。
【００５４】
図２において、外部機器２００は、ネットワーク３００を介して、胴割判別装置１００と相互に接続され、利用者に対して検出強度データや各種パラメータの値等に関する外部データベースや、情報処理装置を胴割判別装置として機能させるためのプログラム等の外部プログラム等を提供する機能を有する。ここで、外部機器２００は、ＷＥＢサーバやＡＳＰサーバ等として構成してもよい。また、外部機器２００のハードウェア構成は、一般に市販されるワークステーション、パーソナルコンピュータ等の情報処理装置およびその付属装置により構成してもよい。また、外部機器２００の各機能は、外部機器２００のハードウェア構成中のＣＰＵ、ディスク装置、メモリ装置、入力装置、出力装置、通信制御装置等およびそれらを制御するプログラム等により実現される。
【００５５】
［胴割判別装置１００の処理］
次に、このように構成された本実施形態における胴割判別装置１００の処理の一例について、以下に図４および図５を参照して詳細に説明する。ここで、図４は、本実施形態における胴割判別装置１００の処理の一例を示すフローチャートである。
【００５６】
図４に示すように、まず、観測部１０２ａは、照射部１１０を制御して、もち米粒の横断面に平行な方向を除く方向からもち米粒内部に光を照射する（ステップＳＡ−１）。ここで、光の波長範囲は、５００ｎｍ〜１１００ｎｍの範囲のうちの波長を含む。また、もち米粒の横断面に平行な方向を除く方向は、横断面に対して垂直な長軸方向であってもよく、横断面に対して斜めに照射してもよい。なお、観測部１０２ａは、もち米の品種や、玄米と精米の違いに応じて、照射部１１０から照射される光の光量が変更されるよう制御してもよい。また、観測部１０２ａは、照射部１１０を制御して、フィルタの切替や、分光器の制御（プリズム角度の変更等）を行うことにより照射する光の波長範囲を設定してもよい。
【００５７】
そして、観測部１０２ａは、照射部１１０により照射された光がもち米粒内部を通って射出される光を、検出部１１２を介して観測する（ステップＳＡ−２）。例えば、観測部１０２ａは、検出部１１２を介して検出された光の検出強度データを取得して、取得した検出強度データを検出強度ファイル１０６ａに格納する。なお、観測部１０２ａは、所望の波長範囲の検出強度データを得るために、検出部１１２を制御して、フィルタの切替や、分光器の制御（プリズム角度の変更等）を行うことにより、検出する光の波長範囲を設定してもよい。なお、検出する光の波長範囲は、５００ｎｍ〜１１００ｎｍの範囲のうちの波長を含む。
【００５８】
そして、判別部１０２ｂは、観測部１０２ａにより観測された光の、５００ｎｍ〜１１００ｎｍの範囲内の波長を少なくとも含む光における、もち米粒の長軸方向の強度分布に基づいて、もち米の胴割れを判別する（ステップＳＡ−３）。例えば、判別部１０２ｂは、観測部１０２ａにより検出強度ファイル１０６ａに格納された画像データ等の検出強度データに基づいて、もち米粒の長軸方向の強度分布（強度差等）から胴割れを判別し、判別結果を判別結果ファイル１０６ｂに格納してもよい。なお、判別部１０２ｂは、検出強度ファイル１０６ｂに格納された画像データ等の検出強度データが、予め５００ｎｍ〜１１００ｎｍの範囲のうちの波長に限定されていない場合（例えば、全色成分のカラー画像データである場合）、判別を行う前に、所定の波長範囲における検出強度データとなるように画像処理等を行ってもよい。例えば、判別部１０２ｂは、画素毎に色調（ＲＧＢ等）と階調値が格納されたピクセルデータにおいて、所望の色調の階調値（例えばＲの階調値）を、所定の波長範囲の光強度として抽出して、胴割れの判別に用いてもよい。
【００５９】
ここで、判別部１０２ｂは、もち米粒の長軸方向の強度分布に基づいて、もち米の胴割れを判別するために、公知のエッジ検出手法を用いてもよい。ここで、図５は、観測部１０２ａにより取得された元画像データから亀裂部分のエッジを検出する例を模式的に示す図である。ここで、ＭＡは、正常粒の画像に基づく画像遷移を表し、ＭＢは、胴割粒の画像に基づく画像遷移を表す。なお、元画像は、波長７５０ｎｍの光の検出強度を階調で示すグレースケール画像である。
【００６０】
図５に示すように、まず、判別部１０２ｂは、元画像ＭＡ−１／ＭＢ−１に対してＳｏｂｅｌフィルタを用いて垂直エッジ成分を抽出する（ＭＡ−２／ＭＢ−２の二値画像）。なお、この例では、原画像において、もち米粒の長軸が横向きで亀裂は縦向きであると想定されるので、画像の垂直エッジ成分を抽出しているが、原画像において、もち米粒の長軸が縦向きで亀裂が横向きであると考えられる場合は、水平エッジ成分を抽出してもよい。
【００６１】
そして、判別部１０２ｂは、画像ＭＡ−２／ＭＢ−２に対して、水平位置毎に、垂直エッジとして検出された白い画素の数をカウントする（ＭＡ−３／ＭＢ−３）。なお、ＭＡ−３／ＭＢ−３の矢印は、ある水平位置におけるカウント対象のラインを示している。
【００６２】
そして、判別部１０２ｂは、カウント数が所定の閾値（この例では、３０カウント）を超えた水平位置がある場合に、胴割れとして検出する（ＭＡ−４／ＭＢ−４のグラフ）。ＭＢ−４のグラフに示すように、水平位置１００〜１５０の間に、カウント数の閾値３０を大きく超えるピークが検出されるので、判別部１０２ｂは、このもち米粒を胴割粒と判定する。
【００６３】
ここで、判別結果出力部１０２ｃは、判別部１０２ｂによる判別結果を出力部１１４に出力してもよい。例えば、判別結果出力部１０２ｃは、判別部１０２ｂにより判別された正常粒の数と胴割粒の数に基づいて、胴割粒の含有割合や含有率を、モニタ等の出力部１１４に出力してもよい。これに限られず、判別結果出力部１０２ｃは、特開平８−７５６５７号公報等に記載の連続観測手段を用いて、リアルタイムに胴割粒の判別を行う場合に、選別手段としての出力部１１４を制御して、胴割粒と判定されたもち米粒を、噴風除去してもよい。
【００６４】
以上が、本実施形態における胴割判別装置１００の処理の一例である。
【００６５】
［実施例］
つづいて、本実施形態にかかる実施例について、以下に図６〜図１７を参照して説明する。
【００６６】
［波長範囲および照射方向の検討結果］
まず、分光イメージング実験によって、波長範囲および照射方向の検討を行った実施例について、図６〜図１１を参照して説明する。なお、いずれの場合も図３を参照して上述したように、観測側からもち米に対して斜め方向に照射している（以下の図６、図８、図１０の矢印の向きは、観察側から見た２次元視野における方向であるので、観察側からの斜め方向は表現されていないことに留意する）。
【００６７】
図６は、もち米粒の亀裂に対して垂直方向（すなわち、長軸方向）に光を照射した場合のもち米粒の画像の一例を示す図である。図中の矢印は、照射光の向きを示している。
【００６８】
つづいて、図６において、（１）正常粒Ａと、（２）正常粒Ｃと、（３）胴割粒Ａと、（４）胴割粒Ｃとを選び、照射光波長の検討を行った。図７は、２個の正常粒と２個の胴割粒に対して、４００ｎｍ〜８００ｎｍの範囲で、さまざまな波長の光を照射した結果を示した図である。図７に示すように、５００ｎｍ〜７５０ｎｍにおいて、玄米の亀裂をよく確認することができた。
【００６９】
つぎに、照射方向を亀裂に対して平行に照射した場合について検討を行った。図８は、もち米粒の亀裂に対して水平方向に光を照射した場合のもち米粒の画像の一例を示す図である。図中の矢印は、照射光の向きを示している。
【００７０】
つづいて、図８において、（１）正常粒Ａと、（２）正常粒Ｃと、（３）胴割粒Ａと、（４）胴割粒Ｃとを選び、照射光波長の検討を行った。図９は、２個の正常粒と２個の胴割粒に対して、５００ｎｍ〜８００ｎｍの範囲で、さまざまな波長の光を照射した結果を示した図である。図９に示すように、亀裂に対して平行に光を照射すると亀裂はほとんど判別できないことが確認された。
【００７１】
つづいて、照射光の波長範囲を、上述の可視光の範囲（５００ｎｍ〜７５０ｎｍ）ではなく、近赤外光の範囲（７５０ｎｍ〜１１００ｎｍ）で検討を行った。図１０は、もち米粒の亀裂に対して垂直に近赤外光を照射した場合のもち米粒の画像の一例を示す図である。なお、図中の矢印は、照射光の向きを示している。
【００７２】
そして、図１０において、（１）正常粒Ｃと、（２）正常粒Ｅと、（３）胴割粒Ａと、（４）胴割粒Ｆとを選び、照射光波長の検討を行った。図１１は、２個の正常粒と２個の胴割粒に対して白色光を照射し、８００ｎｍ〜１１００ｎｍの範囲で、さまざまな波長の光を観測した結果を示した図である。図１１に示すように、用いたＣＣＤカメラで撮影可能な８００ｎｍ〜１１００ｎｍの全波長範囲において、玄米の亀裂を観察することができた。
【００７３】
以上が、本実施例における波長範囲および照射方向の検討結果である。これにより、可視光を透過しないため目視では白くて不透明に見えるもち米についても、もち米の玄米における胴割れ検出へのニーズに対応できることがわかった。従来、ある程度可視光を透過するので目視では半透明に見えるうるち米に関しての胴割れ検出技術では、もち米に適用することは難しかったが、適切な照射方向と適切な波長範囲を組み合せることにより、もち米粒の胴割れを検出できるようになった。
【００７４】
具体的には、分光イメージング実験によって、もち米の胚乳外層は５００〜７５０ｍの可視光および７５０〜１１００ｎｍの近赤外光を、若干透過することがわかった。また、胴割粒の亀裂に対して、直角（垂直）方向に上記の光を照射すると、亀裂面において拡散反射が生じ、胴割れ部分を明確に判別することができた。
【００７５】
［もち米用胴割透視器］
つづいて、所定波長の光の照射と胴割れの観察方向を実現するための装置（試作機）としてもち米用胴割透視器を作成した。図１２は、もち米用胴割透視器の外観を示す図である。
【００７６】
図１２に示すように、もち米用胴割透視器は、もち米粒の長軸が平面上に平行になるように、複数のもち米粒を支持するサンプル支持体を備える。なお、サンプル支持体は、トレイ状となっており、もち米粒サンプルの投入および排出をし易いように着脱式となっている。また、図１２に示すように、野外などで使用する場合を想定して、外光を遮断できるように、開閉式のふた（遮光カバー）を有する。なお、もち米用胴割透視器は、トレイを載せる部分の左右とふたの間に、扇状の遮光用のゴムのフード（図示せず）が取り付けられている。ここで、図１３は、もち米用胴割透視器の断面図である。
【００７７】
図１３に示すように、もち米用胴割透視器は、サンプル支持体平面に対して略垂直に光を射出するＬＥＤ光源と、射出された光を上部に透過させるためのＬＥＤウィンドウと、ＬＥＤに電気を通じるＬＥＤ基板とを備える。なお、基板は、電圧を調整できる電源（電圧可変）に接続される。ここで、図１４は、ＬＥＤ光源からサンプルに光を導くための構成を示す図である。
【００７８】
図１４に示すように、サンプル支持体の裏側は、ＬＥＤの光路を除いて遮光体で覆われており、ＬＥＤから発せられた光は、遮光体の開口部の透明なＬＥＤウィンドウを通して反射体に導かれる。なお、ＬＥＤウィンドウのウィンドウ材は、光源部の防塵のためとサンプル支持体を載せるために光源上に設置される。また、遮光体は、隣の光源からの迷光を防ぐためウィンドウ材の下に設置される。
【００７９】
反射体は、プリズムでできており、ＬＥＤ光源から射出された光が、サンプル支持体の平面上で平行な光となるように光軸を９０度曲げる。これにより、サンプルのもち米粒の長手方向から光が照射されることになる。なお、光軸を曲げるための部材は、プリズムに限られず、ミラー等の反射体を用いてもよい。ここで、図１５は、サンプル支持体の外観図である。
【００８０】
図１５に示すように、サンプル支持体には、半円筒形の溝が設けてあり、サンプルの長手方向がプリズム側を向くように構成されている。ここで、図１６は、ＬＥＤとサンプル支持体とサンプルならびに反射体の位置関係を示す図である。
【００８１】
図１６に示すように、サンプルが入る溝の片側は、プリズムにより塞がれており、プリズム下部からの光をサンプルへ導くよう構成されている。そして、１つ１つの溝の下部には、光源（ＬＥＤ）が並べられている。図１７は、用いたＬＥＤの波長特性を示すグラフである。
【００８２】
図１７に示すように、本もち米用胴割透視器の光源として、中心波長が５２５ｎｍで半値幅が２５ｎｍである発光ダイオード（緑色ＬＥＤ）、および、中心波長が６３５ｎｍで半値幅が１５ｎｍである発光ダイオード（赤色ＬＥＤ）を用いた。
【００８３】
以上が、実施例として作成したもち米用胴割透視器の構成である。本実施例により、可視域のＬＥＤを用い、照射角度を工夫し、肉眼で確認可能としたことで、コンパクトかつ低コストな装置を実現することができた。また、もち米の玄米粒の胴割れを検知することを目的として、簡易・安価にその検知ができる装置を作成できることが確認された。
【００８４】
以上で、本実施形態における実施例の説明を終える。
【００８５】
［他の実施形態］
さて、これまで本発明の実施形態について説明したが、本発明は、上述した実施形態以外にも、特許請求の範囲に記載した技術的思想の範囲内において種々の異なる実施形態にて実施されてよいものである。
【００８６】
例えば、胴割判別装置１００がスタンドアローンの形態で処理を行う場合を一例に説明したが、胴割判別装置１００は、クライアント端末（胴割判別装置１００とは別筐体である）からの要求に応じて処理を行い、その処理結果を当該クライアント端末に返却するようにしてもよい。
【００８７】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００８８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００８９】
また、胴割判別装置１００に関して、図示の各構成要素は機能概念的なものであり、必ずしも物理的に図示の如く構成されていることを要しない。
【００９０】
例えば、胴割判別装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて胴割判別装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００９１】
また、このコンピュータプログラムは、胴割判別装置１００に対して任意のネットワーク３００を介して接続されたアプリケーションプログラムサーバに記憶されていてもよく、必要に応じてその全部または一部をダウンロードすることも可能である。
【００９２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【００９３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成、読み取り手順、あるいは、読み取り後のインストール手順等については、周知の構成や手順を用いることができる。
【００９４】
記憶部１０６に格納される各種のデータベース等（検出強度ファイル１０６ａおよび判別結果ファイル１０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００９５】
また、胴割判別装置１００は、既知のパーソナルコンピュータ、ワークステーション等の情報処理装置として構成してもよく、また、該情報処理装置に任意の周辺装置を接続して構成してもよい。また、胴割判別装置１００は、該情報処理装置に本発明の方法を実現させるソフトウェア（プログラム、データ等を含む）を実装することにより実現してもよい。
【００９６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００９７】
以上詳述に説明したように、本実施形態によれば、正確かつ迅速に生体数を計測することができる、もち米の胴割判別方法、胴割判別装置、および、プログラム、並びに、記録媒体を提供することができる。また、実施例としてもち米用胴割透視器を示したように、もち米の玄米における胴割粒を目視で容易に確認できる胴割検知装置を提供することができる。これにより、（１）蒸したものをついてもちにする、（２）炊いて赤飯やおこわにする、（３）みりんや酒の醸造原料とする、（４）粉末化して和菓子の原料にする等といった様々なもち米の利用の際に、もち米玄米の乾燥過程における胴割率を簡易にモニタリングして品質を管理することができ、品質管理や食品検査等の分野において極めて有用である。
【符号の説明】
【００９８】
１００  胴割判別装置
１０２  制御部
１０２ａ  観測部
１０２ｂ  判別部
１０２ｃ  判別結果出力部
１０４  通信制御インターフェース部
１０６  記憶部
１０６ａ  検出強度ファイル
１０６ｂ  判別結果ファイル
１０８  入出力制御インターフェース部
１１０  照射部
１１２  検出部
１１４  出力部
２００  外部機器
３００  ネットワーク
【図１】
2014052355.tif 000003
【図２】
2014052355.tif 000004
【図３】
2014052355.tif 000005
【図４】
2014052355.tif 000006
【図１２】
2014052355.tif 000007
【図１４】
2014052355.tif 000008
【図１５】
2014052355.tif 000009
【図１６】
2014052355.tif 000010
【図１７】
2014052355.tif 000011
【図５】
2014052355.tif 000012
【図６】
2014052355.tif 000013
【図７】
2014052355.tif 000014
【図８】
2014052355.tif 000015
【図９】
2014052355.tif 000016
【図１０】
2014052355.tif 000017
【図１１】
2014052355.tif 000018
【図１３】
2014052355.tif 000019